(57)【要約】【課題】プリンタに印刷する印刷物において適切な権限を持つものだけが印刷物にアクセスできる装置を提供する。【解決手段】印刷要求のあった印刷物を印刷する印刷手段２２と、前記印刷手段が印刷し排出した印刷物を物理的に密閉するロック付き印刷物取り出し口１１と、前記ロック付き印刷物取り出し口１１のロックを制御するロック制御手段２５と、備え、印刷物を密閉する機能を有する印刷装置である。印刷物排出口をロックし物理的に密閉したために、あるユーザーが印刷した印刷物が他人に取得・閲覧されないようにすることができる。【選択図】        図２
2004331238.tif 000002
【特許請求の範囲】
【請求項１】
印刷要求のあった印刷物を印刷する印刷手段と、
前記印刷手段が印刷し排出した印刷物を物理的に密閉するロック付き印刷物取り出し口と、
前記ロック付き印刷物取り出し口をロックするロック制御手段と、
を備えることを特徴とする印刷物密閉機能付き印刷装置。
【請求項２】
印刷要求のあった印刷物を印刷する印刷手段と、
前記印刷手段が印刷し排出した印刷物を物理的に密閉する複数個のロック付き印刷物取り出し口と、
印刷物を排出するロック付き印刷物取り出し口を、ユーザー毎に振り分ける振り分け制御手段と、
前記振り分け手段が振り分けたロック付き印刷物取り出し口をロックするロック制御手段と、
を備えることを特徴とする印刷物密閉装置付き印刷装置。
【請求項３】
請求項１または２に記載の印刷物密閉装置付き印刷装置であって、
ユーザーの認証情報を読み取るユーザー情報読取手段と、
前記ユーザー情報読取手段が読み取ったユーザー認証情報に基づいて印刷物を取り出そうとしているユーザーを認証するユーザー認証手段と、
前記ユーザー認証手段からの命令に応じて特定のロック付き印刷物取り出し口の開閉を制御するロック制御手段と、
を備えることを特徴とする印刷物密閉機能付き印刷装置。
【請求項４】
請求項１ないし３のうちいずれか１項に記載の印刷物密閉機能付き印刷装置であって、
前記ロック付き印刷物取り出し口において一定時間印刷物が取り出しされなかった場合に自動的に印刷物を破棄する印刷物破棄機能を有することを特徴とする印刷物密閉装置付き印刷装置。
【請求項５】
請求項１ないし４のうちいずれか１項に記載の印刷物密閉機能付き印刷装置であって、
プリンタを利用するためのアカウントを制御するユーザーアカウント制御手段を備えることを特徴とする印刷物密閉機能付き印刷装置。
【請求項６】
印刷手段と、印刷物を物理的に密閉するロック付き印刷物取り出し口と、ロック制御手段とを備える印刷物密閉機能付き印刷装置の印刷物排出方法であって、
前記ロック制御手段が、前記ロック付き印刷物取り出し口をロックするステップと、
前記印刷手段が、印刷要求のあった印刷物を印刷し、前記ロック制御手段によってロックされたロック付き印刷物取り出し口に印刷物を排出するステップと、
を有することを特徴とする印刷物密閉機能付き印刷装置の印刷物排出方法。
【請求項７】
印刷手段と、印刷物を物理的に密閉する複数個のロック付き印刷物取り出し口と、振り分け制御手段と、ロック制御手段とを備える印刷物密閉機能付き印刷装置の印刷物排出方法であって、
前記振り分け制御手段が、印刷物を排出するロック付き印刷物取り出し口を、ユーザー毎に振り分けるステップと、
前記ロック制御手段が、前記振り分け制御手段が振り分けたロック付き印刷物取り出し口をロックするステップと、
前記印刷手段が、印刷要求のあった印刷物を印刷し、前記ロック手段がロックしたロック付き印刷物取り出し口に前記印刷物を排出するステップと、
を有することを特徴とする印刷物密閉装置付き印刷装置の印刷物排出方法。
【請求項８】
請求項６または７に記載の印刷物密閉装置付き印刷装置の印刷物排出方法であって、前記各ステップの後に、
ユーザー情報読取手段が、ユーザーの認証情報を読み取るステップと、
ユーザー認証手段が、前記ユーザー情報読取手段が読み取ったユーザー認証情報に基づいて印刷物を取り出そうとしているユーザーを認証するステップと、
前記ロック制御手段が、前記ユーザー認証手段からの命令に基づいて、該ユーザーが印刷要求した印刷物が排出されているロック付き印刷物取り出し口のロックを解除するステップと、
を有することを特徴とする印刷物密閉機能付き印刷装置の印刷物排出方法。
【請求項９】
請求項６ないし８のうちいずれか１項に記載の印刷物密閉機能付き印刷装置の印刷物排出方法であって、
前記ロック付き印刷物取り出し口において一定時間印刷物が取り出しされなかった場合に自動的に印刷物を破棄するステップを有することを特徴とする印刷物密閉装置付き印刷装置の印刷物排出方法。
【請求項１０】
請求項６ないし９のうちいずれか１項に記載の印刷物密閉機能付き印刷装置であって、
ユーザーアカウント制御手段が、プリンタを利用するためのアカウントを発行するステップを有することを特徴とする印刷物密閉機能付き印刷装置の印刷物排出方法。
【発明の詳細な説明】
【０００１】
【発明の属する技術分野】
本発明は、プリンタから排出される印刷物に関し、特に印刷物の利用者毎の振り分けと印刷物の物理的保護に関する。
【０００２】
【従来の技術】
従来の技術においてはプリンタから排出される印刷物はプリンタの側面または上面より、直接もしくは利用者毎に振り分けて排出され、誰が印刷した印刷物であろうとも誰でも印刷物にアクセスすることが可能であった（例えば、特許文献１、２）。
【０００３】
また、印刷物を出力する前に電子的もしくは物理的な鍵により出力を制限するものや、印刷が終了した後ハードディスク装置やＲＡＭメモリ内に残存した電子データを自動的に消去するものはあったが、出力された後の物理的な安全は保証されていない（例えば、特許文献３、４、非特許文献１）。
【０００４】
また、オフィスコンビニのようなオープンな環境のプリンタにおいて上記の問題が全く考慮されていなかった（例えば、非特許文献２、３）。
【０００５】
【特許文献１】
特開２０００−２０７１４３号公報
【特許文献２】
特開平７−２５２０１７号公報
【特許文献３】
特開２００２−７３３１０号公報
【特許文献４】
特開２００２−２５９１０８号公報
【非特許文献１】
「データセキュリティキット＜ＡＲ−ＦＲ７＞」、２００３年２月１３日、ＳＨＡＲＰ  Ｃｏｒｐｏｒａｔｉｏｎ、［ｏｎｌｉｎｅ］、［２００３年３月１２日検索］、インターネット＜ＵＲＬ：ｈｔｔｐ：ｗｗｗ．ｓｈａｒｐ．ｃｏ．ｊｐ／ｃｏｒｐｏｒａｔｅ／ｎｅｗｓ／０３０２１３−１．ｈｔｍｌ＞
【非特許文献２】
「Ｋｉｎｋｏ’ｓ  Ｓｅｌｆ  Ｓｅｒｖｉｃｅ  Ｃｏｐｙ」、（ｃ）２００２、Ｋｉｎｋｏ’ｓ  Ｊａｐａｎ  Ｃｏｒｐｏｒａｔｉｏｎ、［ｏｎｌｉｎｅ］、［２００３年３月１２日検索］、インターネット＜ＵＲＬ：ｈｔｔｐ：／／ｗｗｗ．ｋｉｎｋｏｓ．ｃｏ．ｊｐ／ｓｅｒｖｉｃｅ＿ｇｕｉｄｅ／ｋｏｊｉｎ／ｓｅｒｖｉｃｅ＿ｋ１．ｈｔｍｌ＞
【非特許文献３】
「ビジネス・レンタル・スペース、デスカット、ＤＥＳＫ＠」、（ｃ）２００２、ＫＯＫＵＹＯ  ＤＥＳＫ＠、［ｏｎｌｉｎｅ］、［２００３年３月１２日検索］、インターネット＜ＵＲＬ：ｈｔｔｐ：／／ｗｗｗ．ｋｏｋｕｙｏ．ｃｏ．ｊｐ／ｄｅｓｋ／＞
【０００６】
【発明が解決しようとする課題】
しかしながら、上述した従来のシステムでは、次のような問題がある。
【０００７】
第１の問題点は、印刷された印刷物が他人に取得される場合があるということである。その理由は、プリンタより印刷された印刷物はどのような状況であれプリンタ側面または上部に直接排出されるためである。
【０００８】
第２の問題点は、印刷された印刷物が他人に閲覧されてしまうということである。その理由は、どのような利用者が周りにいようとも直接印刷物が排出されてしまい物理的に閲覧が可能なためである。
【０００９】
第３の問題点は、自身の印刷した印刷物が他人の印刷物と混合されてしまうということである。その理由は、利用者毎に排出口の振り分けを行わないためである。
【００１０】
第４の問題点は、上述のように従来のプリンタでは公共の場においてさまざまな人が入れ替わり立ち代り利用する状況において、重要な印刷物を印刷するという公共プリンタの概念がなかったことである。その理由は、そのようなユビキタス環境なシュチエーションを実現するシステムが存在しなかったためである。
【００１１】
第５の問題点は、プリンタがネットワークにつながっている場合、誰でもプリンタを利用することができてしまうという問題点があった。その理由は、プリンタの利用のためのアカウント制御を行う機構がなく、プリンタへ自由に印刷要求を行うことができてしまったためである。
【００１２】
本発明の目的は、プリンタに印刷する印刷物において適切な権限を持つものだけが印刷物にアクセスできる装置を提供することにある。
【００１３】
本発明の他の目的は、ホットスポットやオフィスコンビニのようなさまざまな人が出入りする環境において印刷した本人が安全に印刷物を取得できるような装置を提供することにある。
【００１４】
本発明の他の目的は、レンタルオフィスのような一時的に貸与されている環境において後々印刷の証拠を残さずに安全にレンタル機器を使用できるような装置を提供することにある。
【００１５】
【課題を解決するための手段】
本発明による印刷装置（プリンタ）は、印刷装置にロック付き印刷物排出口とユーザー情報読取手段（ユーザー認証用リーダライタ）を設けて、印刷物取り出しの物理的制限と印刷物取得ユーザーの制限を行うことを最も主要な特徴としている。本発明における印刷装置は、印刷の実行や振り分けや破棄などを行う印刷装置、印刷物を取得しようとするユーザーの認証情報を読み取るユーザー情報読取手段、印刷物を密閉しロックを掛け保存するロック付き印刷物取り出し口、通常の印刷物排出口である汎用印刷物取り出し口より構成することができる。
【００１６】
すなわち、本発明の印刷物密閉機能付き印刷装置は、印刷要求のあった印刷物を印刷する印刷手段と、前記印刷手段が印刷し排出した印刷物を物理的に密閉するロック付き印刷物取り出し口と、前記ロック付き印刷物取り出し口をロックするロック制御手段と、を備えることを特徴とし、また、印刷要求のあった印刷物を印刷する印刷手段と、前記印刷手段が印刷し排出した印刷物を物理的に密閉する複数個のロック付き印刷物取り出し口と、印刷物を排出するロック付き印刷物取り出し口を、ユーザー毎に振り分ける振り分け制御手段と、前記振り分け手段が振り分けたロック付き印刷物取り出し口をロックするロック制御手段と、を備えることを特徴とし、また、ユーザーの認証情報を読み取るユーザー情報読取手段と、前記ユーザー情報読取手段が読み取ったユーザー認証情報に基づいて印刷物を取り出そうとしているユーザーを認証するユーザー認証手段と、前記ユーザー認証手段からの命令に応じて特定のロック付き印刷物取り出し口の開閉を制御するロック制御手段と、を備えることを特徴とし、また、前記ロック付き印刷物取り出し口において一定時間印刷物が取り出しされなかった場合に自動的に印刷物を破棄する印刷物破棄機能を有することを特徴とし、また、プリンタを利用するためのアカウントを制御するユーザーアカウント制御手段を備えることを特徴とする。
【００１７】
また、本発明の印刷物密閉機能付き印刷装置の印刷物排出方法は、ロック制御手段が、ロック付き印刷物取り出し口をロックするステップと、印刷手段が、印刷要求のあった印刷物を印刷し、前記ロック制御手段によってロックされたロック付き印刷物取り出し口に印刷物を排出するステップと、を有することを特徴とし、また、振り分け制御手段が、印刷物を排出するロック付き印刷物取り出し口を、ユーザー毎に振り分けるステップと、ロック制御手段が、前記振り分け制御手段が振り分けたロック付き印刷物取り出し口をロックするステップと、印刷手段が、印刷要求のあった印刷物を印刷し、前記ロック手段がロックしたロック付き印刷物取り出し口に前記印刷物を排出するステップと、を有することを特徴とし、ユーザー情報読取手段が、ユーザーの認証情報を読み取るステップと、ユーザー認証手段が、前記ユーザー情報読取手段が読み取ったユーザー認証情報に基づいて印刷物を取り出そうとしているユーザーを認証するステップと、ロック制御手段が、前記ユーザー認証手段からの命令に基づいて、該ユーザーが印刷要求した印刷物が排出されているロック付き印刷物取り出し口のロックを解除するステップと、を有することを特徴とし、また、ロック付き印刷物取り出し口において一定時間印刷物が取り出しされなかった場合に自動的に印刷物を破棄するステップを有することを特徴とし、ユーザーアカウント制御手段が、プリンタを利用するためのアカウントを発行するステップを有することを特徴とする。
【００１８】
【発明の実施の形態】
以下、図面を参照して本発明の実施の形態を詳細に説明する。なお、実施の形態を説明するための全図において、同一機能を有するものは同一符号を付け、その繰り返しの説明は省略する。
【００１９】
図１は、本発明におけるプリンタの構成例を示す図である。図１において、１０はプリンタであり、１１はロック付き印刷物取り出し口であり、１２はユーザー認証用リーダライタであり、１４は汎用印刷物取り出し口である。汎用印刷物取り出し口１４は従来のプリンタの印刷物取り出し口と同じものであり、特に保護する必要のない印刷物を印刷する場合は、プリンタ１０が印刷した印刷物は汎用印刷物取り出し口１４に排出され、この汎用印刷物取り出し口１４に排出された印刷物は誰でも取り出すことができる。本実施形態のプリンタ１０には、通常の汎用印刷物取り出し口１４の他に、複数個のロック付き印刷物取り出し口１１が設けられている。ロック付き印刷物取り出し口１１は、ロック機能を有し、プリンタ１０が印刷し排出した印刷物を物理的に密閉し、ユーザー認証用リーダライタ１２が読み取った認証情報が認証された場合にロック付き印刷物取り出し口１１のロックが解除され、ユーザーが印刷物を取り出せるようになる。本実施形態ではロック付き印刷物取り出し口１１は複数個設けられているので、複数のロック付き印刷物取り出し口１１のなかの空いているロック付き印刷物取り出し口に、各ユーザーが印刷した印刷物が各ユーザー毎に振り分けて排出される。印刷したユーザー自身またはそのユーザーに許可を与えられた者が認証情報が格納された記憶媒体をユーザー認証用リーダライタ１２に翳し、認証がなされたときに、そのユーザーが印刷した印刷物が排出されたロック付き印刷物取り出し口１１のロックが解除され、そのユーザー自身またはそのユーザーに許可を与えられた者のみが印刷物を取り出すことができる。
【００２０】
図２に本発明におけるプリンタの構成手段例を図示する。図２において、プリンタ１０は通信手段２１、印刷手段２２、振り分け制御手段２３、印刷物破棄手段２４、ロック制御手段２５、ユーザー認証手段２６より構成される。通信手段２１はユーザーからの印刷物印刷要求等の要求送受信をネットワークを用いて行う手段である。印刷手段２２は印刷要求のあった印刷物を印刷する手段である。振り分け制御手段２３は印刷要求のあったユーザー毎に印刷物を排出する取り出し口を振り分ける手段である。振り分け制御手段２３が保持する情報の例を図３に示す。図３に示すように、振り分け制御手段２３は、各ロック付き印刷物取り出し口毎に利用ユーザー情報、経過時間情報、格納文書情報等の情報を保持する。印刷物破棄手段２４とはロック付き印刷物取り出し口１１に排出済の印刷物を、ユーザーが定めたもしくはプリンタ１０が指定した一定時間経過後に、破棄する手段である。ロック制御手段２５はユーザー認証手段からの命令に応じてロック付き印刷物取り出し口１１の開閉を制御する手段である。ユーザー認証手段２６はユーザー認証用リーダライタ１２より読み取ったユーザー認証情報を元に印刷物を取り出しそうとしているユーザーを認証する手段である。
【００２１】
図４に本実施形態におけるユーザークライアントの構成例を示す。ユーザークライアント４０とはユーザーがプリンタ１０ヘの印刷要求を送るクライアントである。ユーザークライアント４０は通信手段４１、印刷要求手段４２、ユーザー情報保持手段４３より構成される。通信手段４１は、プリンタ１０に対する印刷要求の送受信をネットワーク４５を用いて行う手段である。印刷要求手段４２は、プリンタ１０に対して印刷物の要求を行う。
【００２２】
本発明におけるプリンタ１０及びユーザークライアント４０からなるシステムの動作は、前出の各機構を利用した
（１）ユーザーからプリンタヘの印刷要求の送信、
（２）印刷物の印刷とロック付き印刷物取り出し口ヘの印刷物の振り分け、
（３）ユーザー認証による印刷物の取り出し、
の一連の基本動作から構成される。
【００２３】
以下、一連の動作について説明する。
【００２４】
（１）ユーザーからプリンタヘの印刷ジョブの送信
図４において、ユーザーがある文書に対して印刷要求がある場合、ユーザークライアント４０の印刷要求手段４２を用いて通信手段４１からネットワーク４５を通じプリンタ１０ヘ印刷要求を送信する。このときの通信はユーザークライアント４０とプリンタ１０の各通信手段により暗号化されているものとする。またこのときユーザーは例えば電子秘密鍵などの署名情報により印刷ジョブに対し署名を行う。署名を行うための署名用情報はユーザー情報保持手段４３内に保持されている。
【００２５】
（２）印刷物の印刷とロック付き印刷物取り出し口ヘの印刷物の振り分け
図５に本実施形態により新たに付け加えられたロック付き印刷物取り出し口１１に印刷物が振り分けられるまでのシーケンス図例を示す。項目（１）においてユーザーより送られた署名をプリンタ１０の通信手段２１はユーザー認証手段２６に送信する（署名情報の送信）。ユーザー認証手段２６はその署名情報を保持し、さらに振り分け制御手段２３に対しユーザーが印刷を行おうとしていることを通知する（ユーザー情報の送信）。振り分け制御手段２３はロック付き印刷物取り出し口より現在利用されていない取り出し口を選択し（排出口の選択）、その取り出し口を封鎖するようにロック制御手段２５に送信する（封鎖送信）。ロック制御手段２５は振り分け制御手段２３より送られてきた命令に基づき実際にロック付き印刷物取り出し口１１の鍵を掛ける（封鎖実行）。振り分け制御手段２３は印刷手段２２に対し鍵を掛けた取り出し口を通知し、そのロック付き印刷物取り出し口１１に印刷物を排出するように送信する（取り出し口の指定）。通信手段２１はユーザーから受けた印刷要求を印刷手段２２に対して送信し（印刷要求送信）、印刷手段２２は振り分け制御手段２３より指定されたロック付き印刷物取り出し口１１へ印刷物を排出する（印刷）。
【００２６】
（３）ユーザー認証による印刷物の取り出し
図６にロック付き印刷物取り出し口１１に格納された印刷物をユーザーが取り出すまでのシーケンス図例を示す。前提条件として、ユーザーはユーザークライアント４０のユーザー情報保持手段４３で格納していた個人認証のための情報をＩＣカードのような耐タンパデバイスもしくは、メモリーカードやＲＦ−ＩＤカードのような記憶媒体に格納し持っているものとする。ユーザーは自身のユーザー認証情報が格納された媒体をプリンタ１０のユーザー認証用リーダライタ１２に翳す（ユーザー認証情報の送信）。ユーザー認証手段２６はユーザー認証用リーダライタ１２に翳された情報を認証し、どのユーザーが印刷物を取りに来たのかを確認する（ユーザー認証）。ユーザー認証手段２６は振り分け制御手段２３に対して印刷物を取りに来たユーザーを通知する（ユーザー情報送信）。振り分け制御手段２３は通知されたユーザーがどのロック付き印刷物取り出し口に印刷を行ったか確認し、もし該ユーザーがいたならば対応するロック付き印刷物取り出し口１１を開口するようにロック制御手段２５に対して要求する（ユーザーと対応する取り出し口開口命令）。ロック制御手段２５は要求のあったロック付き印刷物取り出し口１１を開口し、ユーザーは自身の印刷物を取り出すことができる。
【００２７】
上記（１）〜（３）が正常な手順で本プリンタを利用するための手段である。
【００２８】
また上記基本動作以外にも次のような動作も提供する。
【００２９】
（４）一定時間後の印刷物の破棄
本実施形態によるプリンタを利用する基本的な流れは前記の通りである。しかし印刷をして忘れてしまった場合などロック付き印刷物取り出し口１１に印刷物が長時間放置されるのは好ましくない。そのため長時間取り出しされない場合に印刷物破棄手段２４を用いてロック付き印刷物取り出し口１１の印刷物を破棄する機能を提供する。図７に破棄までのシーケンス図例を示す。図８には印刷物破棄の例を示す。図７のシーケンスにおいて、振り分け制御手段２３は自身が持つ印刷物が取り出しされたかどうかという情報を定期的にチェックし、一定時間過ぎたものに対して、印刷物破棄手段２４に対し、印刷物破棄依頼を送る。印刷物破棄手段２４は、ロック制御手段２５に対しロック付き印刷物取り出し口１１の印刷物破棄手段側を開口するように命令し、ロック付き印刷物取り出し口１１は印刷物破棄手段２４に対し印刷物を送る。印刷物破棄手段２４は受けとった印刷物の破棄を行う。図８では例えばシュレッダーを用いた場合の印刷物破棄の例を示している。図７のシーケンスに従い特定のロック付き印刷物取り出し口１１の印刷物が内部のシュレッダーを通り裁断する。これにより不要な情報をプリンタ１０に残さないようにする。
【００３０】
（５）ロック付き印刷物取り出し口利用状況の表示
振り分け制御手段２３が持つ、ロック付き印刷物取り出し口１１の利用状況の情報を元に、プリンタ１０もしくは、ロック付き印刷物取り出し口１１に現在のロック付き印刷物取り出し口利用状況を表示する。図９はロック付き印刷物取り出し口１１に表示された、利用状況の例であり、各ロック付き印刷物取り出し口に、利用者名、印刷物名を表示する。利用者名、印刷物名を公開したくないユーザーの場合は、「非公開」と表示され、印刷物が収納されていないロック付き印刷物取り出し口には「空き」と表示される。
【００３１】
（６）利用アカウント制御装置による利用制御
本発明の基本的構成は上記（１）〜（３）の通りであるが、上記手段にプリンタヘ印刷するための利用アカウントを制御する利用アカウント制御装置を加えた手段について説明する。利用アカウント制御装置はプリンタの印刷手段やロック付き印刷物取り出し口を利用するためのアカウントの発行制御とアカウントの制御によるプリンタの利用制御等を主に行う。利用アカウント制御装置はプリンタに内蔵することも可能であり、また内蔵でない場合はネットワーク的にプリンタの手前に設置することも可能である。図１０はプリンタ１０の手前に利用アカウント制御装置１００を設置した構成図例である。図１０の例ではプリンタ１０ヘアクセスするためには必ず利用アカウント制御装置１００を経由しなければプリンタ１０ヘアクセスできないようになっている。利用アカウント制御装置１００は通信手段１０１、アカウント管理手段１０２、アクセス制御手段１０３より構成される。通信手段１０１はプリンタ１０や印刷要求を出すクライアント４０との通信を行うための手段である。アカウント管理手段１０２は、プリンタ１０を利用するためのアカウントの情報を保持し、アカウントの発行・更新・削除などを管理する手段である。アクセス制御手段１０３は、プリンタ１０に対する印刷要求を制限し特定の権限を持つ者しかプリンタ１０ヘの印刷要求を許さないようにする手段である。
【００３２】
図１１に利用アカウント制御装置１００を介してプリンタ１０ヘ印刷要求を行うまでのシーケンス図例を示す。図１１において、ユーザーがユーザークライアント４０において印刷要求を行うと、印刷要求手段４２が通信手段４１に印刷要求を送信し、通信手段４１は利用アカウント制御装置１００の通信手段１０１に印刷要求を送信する。利用アカウント制御装置１００において、通信手段１０１はアクセス制御手段１０３に印刷要求を送信し、プリンタ１０を利用するための必要な条件であるアクセス条件を通信手段１０１に送信し（アクセス条件提示）、通信手段１０１はアクセス条件をユーザークライアント４０の通信手段４１に送信する。ユーザークライアント４０では、通信手段４１がアクセス条件をユーザー情報保持手段４３に送信し、ユーザー情報保持手段４３は保持しているユーザーの属性情報を通信手段４１に送信し（属性情報提示）、通信手段４１は属性情報を利用アカウント制御装置１００の通信手段１０１へ送信する。利用アカウント制御装置１００において、通信手段１０１は属性情報をアクセス制御手段１０３に送信し、アクセス制御手段１０３は属性情報を検証し、自身の持つ条件に合致する場合は、アカウント管理手段１０２にアカウント発行依頼を送信する。アカウント管理手段１０２はアカウントを発行しアクセス制御手段１０３へアカウントを通知する（アカウント通知）。アクセス制御手段１０３は通信手段１０１へアカウントを通知し、通信手段１０１はユーザークライアント４０の通信手段４１へアカウントを通知する。ユーザークライアント４０において、通信手段４１はユーザー情報保持手段４３へアカウントを通知する。ユーザーはユーザークライアント４０よりアカウントを記録媒体に格納する。また、利用アカウント装置１００のアクセス制御手段１０３は通信手段１０１へアカウントと印刷要求を送信し（アカウント通知、印刷要求送信）、通信手段１０１はプリンタ１０の通信手段２１へアカウントと印刷要求を送信する。プリンタ１０において、通信手段２１はユーザー認証手段２６にアカウントを通知し、その後、図５と同様なシーケンスにより、プリンタ１０はロック付き印刷物取り出し口１１に印刷要求された印刷物を排出する。ユーザーがアカウントを格納した記録媒体をプリンタ１０のユーザー認証用リーダライタ１２に翳すと、図６と同様なシーケンスにより、プリンタ１０はロック付き印刷物取り出し口１１を開口し、ユーザーは開口したロック付き印刷物取り出し口１１から印刷物を取り出すことができる。
【００３３】
［実施例］
以下に本発明の具体的な実施例を示す。本発明を説明するために必要な前提条件を以下に示す。
■  ユーザーＸ
「印刷する文書：会議議事録」
「署名用情報：Ｓｉｇ（Ｘ）」
「認証用情報：Ａｕｔｈ（Ｘ）」
■  ユーザーＹ
「印刷する文書：プレゼン資料Ａ」
「職責：主任研究員」
■  振り分け制御手段
「印刷物破棄までの時間：３０分」
「現在利用されているロック付き印刷物取り出し口：
取り出し口＃１：なし
取り出し口＃２：なし
取り出し口＃３：なし
取り出し口＃４：なし
取り出し口＃５：なし」
■  アクセス制御手段
「主任研究員もしくは主幹研究員の職責を持つ場合に利用のためのアカウント発行が可能」
Ａｕｔｈ（α）とＳｉｇ（α）には関係がありＡｕｔｈ（α）を用いてＳｉｇ（α）の保持者であることを検証できる。
【００３４】
（１）ユーザーからプリンタヘの印刷ジョブの送信
図４を用いて説明する。ユーザーＸはユーザークライアント４０を通じて印刷要求として会議議事録を印刷要求手段４２から通信手段４１を通じてプリンタ１０へ送信する。この時ユーザークライアント４０はユーザー情報保持手段４３からユーザーＸの署名情報Ｓｉｇ（Ｘ）を付与してプリンタ１０へ送信する。
【００３５】
（２）印刷物の印刷とロック付き印刷物取り出し口ヘの印刷物の振り分け
図４、図５を用いて説明する。プリンタ１０の通信手段２１はユーザークライアント４０より送信された印刷ジョブである会議議事録とＳｉｇ（Ｘ）のうちＳｉｇ（Ｘ）をユーザー認証手段２６へ送信する。ユーザー認証手段２６はＳｉｇ（Ｘ）を保存しさらにユーザーＸが印刷要求を出していることを振り分け制御手段２３に対して送信する。振り分け制御手段２３は自身の保持するロック付き印刷物取り出し口利用状況の情報を確認する。現在はどのロック付き印刷物取り出し口１１も利用されていないので＃１の取り出し口を割り当て、さらに振り分け制御手段２３の保持する情報に＃１の利用がユーザーＸであること、＃１のロック付き印刷物取り出し口に対する有効期間等を書き込む。振り分け制御手段２３は＃１のロック付き印刷物取り出し口を封鎖するようロック制御手段２５に対し送信する。ロック制御手段２５は指定された＃１のロック付き印刷物取り出し口の鍵を掛け封鎖する。次に振り分け制御手段２３は印刷手段２２に対して封鎖したロック付き印刷物取り出し口である＃１に印刷物を印刷するように送信する。印刷手段２２は印刷要求である会議議事録を振り分け制御手段２３より指定された＃１のロック付き印刷物取り出し口１１に対して会議議事録を印刷する。
【００３６】
（３）ユーザー認証による印刷物の取り出し
図４、６を用いて説明する。ユーザーＸはプリンタ１０ヘ印刷物を取り出しに移動する。このときユーザーＸはＩＣカード等の記憶媒体に自身の認証情報であるＡｕｔｈ（Ｘ）を保持する。ユーザーＸはプリンタ１０のユーザー認証用リーダライタ１２に対し認証情報を読み取らせユーザー認証用リーダライタ１２はユーザー認証手段２６と通信しＡｕｔｈ（Ｘ）と関係のある署名情報を検索する。そしてユーザー認証手段２６はＡｕｔｈ（Ｘ）とＳｉｇ（Ｘ）が関係ありＳｉｇ（Ｘ）の保持者であることを確認する。ユーザー認証手段２６は振り分け制御手段２３に対してユーザーＸが印刷物の取得要求をしていることを送信する。振り分け制御手段２３は自身の保持する情報よりユーザーＸと対応する印刷物取り出し口を検索する。前項目にて＃１のロック付き印刷物取り出し口がユーザーＸに対して割り当てられていることを確認する。そしてロック制御手段２５に対して＃１のロック付き印刷物取り出し口を開口するように送信する。ロック制御手段２５は＃１のロック付き印刷物取り出し口１１を開口する。ユーザーＸは開口されたロック付き印刷物取り出し口１１より自身の印刷した会議室議事録を安全に取得することができる。
【００３７】
以上が本発明における基本動作での実施例である。
【００３８】
（４）一定時間後の印刷物の破棄
上記（１）（２）の手順において、ユーザーＸ印刷物がロック付き印刷物取り出し口１１ヘ振り分けられた時点より振り分け制御手段２３は破棄までの時間を監視する。本実施例における印刷物破棄までの時間は３０分と設定されているため（２）の後３０分以内に（３）が実行されなかった場合、ユーザーＸが印刷した会議議事録は例えば図８の例に示したシュレッダー８１によって破棄される。
【００３９】
（５）ロック付き印刷物取り出し口利用状況の表示
本実施例では取り出し口＃１にユーザーＸが会議議事録を排出しているので、＃１ロック付き印刷物取り出し口の状況が表示される部分には利用者としてユーザーＸ、印刷物として会議議事録が排出されていることは表示される。
【００４０】
（６）利用アカウント制御装置による利用制御
本実施例における基本構成は上記（１）〜（３）の通りであるが、プリンタ１０の手前にアカウント制御装置を設置した場合の実施例を示す。図１０、図１１を用いて説明する。ユーザーＹはユーザークライアント４０を通じて印刷要求（プレゼン資料Ａ）をプリンタ１０ヘ送信する。しかし、プリンタ１０の手前に利用アカウント制御装置１００が配置されているため、印刷要求をアクセス制御手段１０３が受信する。アクセス制御手段１０３はユーザークライアント４０に対し利用のために必要な条件を提示する。本実施例においては「職責についての属性情報が必要」という条件である。ユーザークライアント４０はユーザー情報保持手段４３より自身の持つ属性情報（本例においては「主任研究員」）を利用アカウント制御装置１００のアクセス制御手段１０３に提示する。アクセス制御手段１０３はユーザークライアント４０より提示された属性情報を検証し、自身の持つ条件に合致することから、プリンタ１０を利用するための一時的アカウントを発行するため、アカウント管理手段１０２にアカウント発行依頼を通知する。アカウント管理手段１０２は一時的アカウントを発行しアクセス制御手段１０３に通知する。アクセス制御手段１０３はユーザークライアント４０とプリンタ１０のユーザー認証手段２６に対してそれぞれ発行した一時アカウントを通知する。またプリンタ１０に対しては一時的アカウントと対になっている印刷要求（プレゼン資料Ａ）も送信する。ユーザーＹはユーザークライアント４０より一時的アカウントの通知を受けそれらをＩＣカードやＲＦ−ＩＤタグなどの記録媒体に格納する。ユーザーＹが印刷物（プレゼン資料Ａ）を取得するまでのシーケンスは（３）と同様である。
【００４１】
以上、本発明者によってなされた発明を、前記実施の形態、実施例に基づき具体的に説明したが、本発明は、前記実施の形態、実施例に限定されるものではなく、その要旨を逸脱しない範囲において種々変更可能であることは勿論である。
【００４２】
【発明の効果】
以上説明したように、本発明においては、次のような効果を奏する。
【００４３】
第１の効果は、あるユーザーが印刷した印刷物が他人に取得・閲覧されないようにすることができることにある。その理由は、印刷物排出口をロックし物理的に密閉したためである。
【００４４】
第２の効果は、印刷された印刷物の取得が印刷した本人自身または本人により許可されたもののみ取り出すことができることにある。その理由は、利用者認証装置により認証を行い、その結果によりロックされた特定の印刷物排出口を開閉するためである。
【００４５】
第３の効果は、ネットワークにつながれているプリンタにおいて一時的アカウント制御を行う装置を付け加えることにより、誰でもプリンタへ印字できてしまうということがなくなった。
【図面の簡単な説明】
【図１】本発明におけるプリンタの構成図例を示す図である。
【図２】本発明におけるプリンタの構成手段例を示す図である。
【図３】振り分け制御手段が持つ情報例である。
【図４】ユーザークライアントとプリンタの構成図例である。
【図５】ロック付き印刷物取り出し口ヘ振り分けられるまでのシーケンス例である。
【図６】ユーザーが印刷物を取り出しすまでのシーケンス例である。
【図７】印刷物破棄までのシーケンス例である。
【図８】印刷物破棄の例である。
【図９】ロック付き印刷物取り出し口に表示された利用状況の例である。
【図１０】利用アカウント制御装置設置の構成例である。
【図１１】利用アカウント制御装置を介してプリンタへ印刷要求を行うまでのシーケンス例である。
【符号の説明】
１０…プリンタ、１１…ロック付き印刷物取り出し口、１２…ユーザー認証用リーダライタ、１４…汎用印刷物取り出し口、２１…プリンタの通信手段、２２…印刷手段、２３…振り分け手段、２４…印刷物破棄手段、２５…ロック制御手段、２６…ユーザー認証手段、４０…ユーザークライアント、４１…ユーザークライアントの通信手段、４２…印刷要求手段、４３…ユーザー情報保持手段、４５…ネットワーク、８１…シュレッダー、１００…利用アカウント制御装置、１０１…利用アカウント制御装置の通信手段、１０２…アカウント管理手段、１０３…アクセス制御手段
【図１】
2004331238.tif 000003
【図２】
2004331238.tif 000004
【図３】
2004331238.tif 000005
【図４】
2004331238.tif 000006
【図５】
2004331238.tif 000007
【図６】
2004331238.tif 000008
【図７】
2004331238.tif 000009
【図８】
2004331238.tif 000010
【図９】
2004331238.tif 000011
【図１０】
2004331238.tif 000012
【図１１】
2004331238.tif 000013